(57)【要約】【課題】  効率的なアルバムの作成を可能にすると共にアルバム作成用として蓄積するデータを利用して効果的な広告の配信を可能にすること。【解決手段】  広告配信可否情報を保存するＤＢ６２と、業者の分類情報と顧客ごとの広告配信回数を保存するＤＢ６３と、顧客端末から送られてくる出来事の内容等および出来事の分類識別情報を含む出来事情報を受信して保存する出来事登録手段と、出来事情報を受信したとき、当該情報に含まれている分類識別情報をもとにＤＢ６３を参照して当該分類識別情報と同分類の業者を抽出し、ＤＢ６２の広告配信可否情報が広告配信許可状態になっているときに、当該業者に当該顧客宛の広告配信を許可し、広告配信がされたときに該顧客の広告配信回数を更新する広告配信制御手段と、当該広告配信回数に基づいて、業者に課金する課金管理手段と、出来事情報を用いてアルバムを作成するアルバム作成手段とを備える。【選択図】      図１
2006190117.tif 000002
【特許請求の範囲】
【請求項１】
顧客の電子メールアドレスと広告配信可否情報を保存する顧客データベースと、
業者の分類情報と顧客ごとの広告配信回数とを保存する業者データベースと、
顧客端末から送られてくる出来事の内容、画像データ、時間情報、および、前記出来事の分類識別情報を含む出来事情報を受信して顧客ごとに保存する出来事登録手段と、
前記出来事情報を受信したとき、当該情報に含まれている分類識別情報をもとに前記業者データベースを参照して当該分類識別情報と同分類の業者を抽出し、前記顧客データベースの広告配信可否情報が広告配信許可状態になっているときに、当該業者に当該顧客宛の広告配信を許可し、広告配信がされたときに該顧客の広告配信回数を更新する広告配信制御手段と、
当該広告配信回数に基づいて、業者に課金する課金管理手段と、
前記出来事情報を用いてアルバムを作成するアルバム作成手段と、
を備えたことを特徴とするアルバム作成システム。
【請求項２】
前記課金管理手段は、広告の配信に伴い、その配信を受けた顧客の積立額を加算し、
顧客からアルバム作成要求があったとき、アルバム作成費用から前記積立額を差し引いた費用を顧客に課金することを特徴とする請求項１記載のアルバム作成システム。
【請求項３】
顧客端末から送られてくる前記出来事情報は主観的評価値を含み、前記広告配信制御手段は当該主観的評価値に基づいて広告配信を行うか否かを決定することを特徴とする請求項１記載のアルバム作成システム。
【請求項４】
前記主観的評価値は、出来事に対する感動度であって、前記広告配信制御手段は、感動度が所定値以上のときに広告配信を行うことを特徴とする請求項３記載のアルバム作成システム。
【請求項５】
前記主観的評価値は、出来事に対する不満度を含み、前記広告配信制御手段は、この不満度が所定値以上のときに、当該出来事を該出来事の分類識別情報をもとに抽出された業者へ送信することを特徴とする請求項１記載のアルバム作成システム。
【請求項６】
前記アルバム作成手段は、主観的評価値に基づいて出来事を抽出し、時系列的に配列すると共に、当該出来事と所定期間内にある世の中の出来事または組織内の出来事を顧客の出来事の時系列上に配列することを特徴とする請求項３ないし５のいずれか一に記載のアルバム作成システム。
【請求項７】
顧客端末と通信ネットワークを介して繋がり、顧客の電子メールアドレスと広告配信可否情報を保存する顧客データベースと業者の分類情報と顧客ごとの広告配信回数とを保存する業者データベースとを備えたサーバを用いて顧客端末へ広告を配信する広告配信方法であって、
顧客端末から送られてくる出来事の内容、画像データ、時間情報、主観的評価値、および、前記出来事の分類識別情報を含む出来事情報を受信して顧客ごとに保存するステップと、
前記出来事情報を受信したとき、前記主観的評価値が所定値以上の場合に当該出来事情報に含まれている分類識別情報をもとに前記業者データベースを参照して当該分類識別情報と同分類の業者を抽出し、前記顧客データベースの広告配信可否情報が広告配信許可状態になっているときに、当該業者に当該顧客宛の広告配信を許可し、広告配信がされたときに該顧客の広告配信回数を更新するステップと、
当該広告配信回数に基づいて、業者に課金するステップと、
顧客の要求に基づいて該顧客の前記出来事情報を閲覧可能にするステップと、
を含むことを特徴とする広告配信方法。
【発明の詳細な説明】
【技術分野】
【０００１】
本発明は、利用者や世の中の出来事を記録したアルバム情報を作成すると共に効率的な広告配信を行うことのできるアルバム作成システムおよび広告配信方法に関する。
【背景技術】
【０００２】
従来、個人の記録を蓄積しておき、写真集やアルバム（電子データを含む）として効率よくかつ廉価に作成する技術が提案されている。この技術は、サーバにアルバム作成の為の写真画像、スライドショウか紙媒体かなどのアルバム形式などを保存しておき、通信ネットワークを介して顧客の端末から送られてくる受注情報によって、アルバムを所定の形式で作成して顧客に提供するというものである。（特許文献１〜３を参照）。
また、特許文献４では、サーバに個人履歴情報の他、歴史情報を蓄積するデータベースを備えておいて、顧客より歴史一覧作成を要求されたとき、個人履歴情報を読み取り、当該個人履歴情報と歴史情報とを対応させて合成した歴史一覧を表示させるためのデータを生成する装置が提案されている。
【特許文献１】特開２００４−２０６２９６号公報
【特許文献２】特開２００２−１５１８０号公報
【特許文献３】特開２００１−３３１７０４号公報
【特許文献４】特開平１１−６６０４９号公報
【発明の開示】
【発明が解決しようとする課題】
【０００３】
ところで、サーバに蓄積されるデータを用いて商品の販売やサービスの提供を行う業者にとって効果的な営業が可能となり、また、顧客も、より低価格でアルバムの提供が受けられるならば、業者と利用者共にメリットがあり、この分野の事業の発展が期待できる。
【０００４】
本発明は、上述のかかる事情に鑑みてなされたものであり、効率的なアルバムの作成を可能にすると共にアルバム作成用として蓄積するデータを利用して効果的に広告を配信することのできるアルバム作成システムおよびこのシステムを用いた広告配信方法を提供することを目的とする。
【課題を解決するための手段】
【０００５】
上記目的を達成するため、本発明に係わるアルバム作成システムは、顧客の電子メールアドレスと広告配信可否情報を保存する顧客データベースと、業者の分類情報と顧客ごとの広告配信回数とを保存する業者データベースと、顧客端末から送られてくる出来事の内容、画像データ、時間情報、および、出来事の分類識別情報を含む出来事情報を受信して顧客ごとに保存する出来事登録手段と、出来事情報を受信したとき、当該情報に含まれている分類識別情報をもとに業者データベースを参照して当該分類識別情報と同分類の業者を抽出し、顧客データベースの広告配信可否情報が広告配信許可状態になっているときに、当該業者に当該顧客宛の広告配信を許可し、広告配信がされたときに該顧客の広告配信回数を更新する広告配信制御手段と、当該広告配信回数に基づいて、業者に課金する課金管理手段と、出来事情報を用いてアルバムを作成するアルバム作成手段と、を備えたことを特徴とする。
【０００６】
本発明では、出来事情報に分類識別情報を含ませるので、その出来事に関係のある業者を抽出でき、その出来事の登録のあった時期、すなわち、顧客の関心のある好適なタイミングで広告を配信することができる。
【０００７】
一般に人間の関心事項は時間と共に変化するので、関心のある時期を的確に把握することは、広告の効果を高める上で有意義である。
【０００８】
なお、広告配信制御手段は、広告配信を許可した後、所定期間経過後に広告配信禁止状態にして、再び出来事情報の登録を待つようにし、禁止常態のときは広告の配信をしない、もしくは、配信の頻度を制限することによって、関心のない広告を頻繁に受信することによるその広告に対する拒否反応を抑制することができる。
【０００９】
好ましくは、課金管理手段は、広告の配信に伴い、その配信を受けた顧客の積立額を加算し、顧客からアルバム作成要求があったとき、アルバム作成費用から積立額を差し引いた費用を顧客に課金する。これによって、顧客のアルバム作成費用の負担を軽減できると共に業者は効果的な広告配信が可能となる。
【００１０】
また、本発明に係わるアルバム作成システムは、顧客端末から送られてくる出来事情報は主観的評価値を含み、広告配信制御手段は当該主観的評価値に基づいて広告配信を行うか否かを決定することを特徴とする。
【００１１】
たとえば、主観的評価値として、出来事に対する感動度を用い、広告配信制御手段によって感動度が所定値以上のときに広告配信を行うようにする。これによって、顧客に対して、その広告がより良いイメージを与えることができる。
【００１２】
また、主観的評価値は、出来事に対する不満度を含み、広告配信制御手段は、この不満度が所定値以上のときに、当該出来事を該出来事の分類識別情報をもとに抽出された業者へ送信するようにしてもよい。これによって、業者は、自己の事業に関連のある出来事について、顧客層が何に不満を持っているかを知ることができ、商品やサービスの改善につなげることができる。
【００１３】
さらに、本発明に係わるアルバム作成システムでは、アルバム作成手段は、主観的評価値に基づいて出来事を抽出し、時系列的に配列すると共に、当該出来事と所定期間内にある世の中の出来事または組織内の出来事を顧客の出来事の時系列上に配列することを特徴とする。
【００１４】
本発明では、主観的評価値によって自動的に印象の深い個人の出来事を抽出して世の中の出来事等とリンクさせてアルバムを作成する。
【００１５】
また、本発明に係わる広告配信方法は、顧客端末と通信ネットワークを介して繋がり、顧客の電子メールアドレスと広告配信可否情報を保存する顧客データベースと業者の分類情報と顧客ごとの広告配信回数とを保存する業者データベースとを備えたサーバを用いて顧客端末へ広告を配信する広告配信方法であって、顧客端末から送られてくる出来事の内容、画像データ、時間情報、主観的評価値、および、出来事の分類識別情報を含む出来事情報を受信して顧客ごとに保存するステップと、出来事情報を受信したとき、主観的評価値が所定値以上の場合に当該出来事情報に含まれている分類識別情報をもとに業者データベースを参照して当該分類識別情報と同分類の業者を抽出し、顧客データベースの広告配信可否情報が広告配信許可状態になっているときに、当該業者に当該顧客宛の広告配信を許可し、広告配信がされたときに該顧客の広告配信回数を更新するステップと、当該広告配信回数に基づいて、業者に課金するステップと、顧客の要求に基づいて該顧客の出来事情報を閲覧可能にするステップと、を含むことを特徴とする。
【００１６】
これにより、顧客の関心のある好適なタイミングで広告を配信することができる。
【発明の効果】
【００１７】
本発明によれば、顧客の日々の出来事情報を端末を介して登録することによって効率的なアルバムの作成が可能になる。また出来事情報の登録と広告の配信とを連動させることによって、その出来事に関連した効果的な広告の配信が可能となる。
【発明を実施するための最良の形態】
【００１８】
以下本発明の実施の形態を説明する。図１は、本実施の形態によるアルバム作成システムおよび通信ネットワークを介してこれと繋がる顧客端末、業者サーバの機能ブロック図である。
【００１９】
ここで、アルバム作成システム１は、顧客である個人や法人を対象にして個人史や社史などのアルバムを作成して、電子配信あるいはＣＤ−ＲＯＭや紙媒体などの形式で顧客に提供するサービスを行う事業者（サービス事業者）の管理運営するシステムであり、インターネット等の通信ネットワークに繋がるサーバ装置として構成されている。
【００２０】
また、顧客端末２はサービス事業者の提供するアルバム作成サービスを希望する顧客の端末装置であり、たとえばカメラ付き携帯電話によって実現されるものである。
業者サーバ３は、商品や種々のサービスを提供する業者の広告配信用のサーバ装置である。
【００２１】
アルバム作成システム１は、通信ネットワーク４を介してデータの送受信を行うための送受信部１１、送受信部１１から受け取ったデータの処理を行う中央演算処理部１２、データを記憶するための記憶部１６、および、中央演算処理部１２との間でデータの入出力を行う入力部１３と出力部１４から構成されている。
【００２２】
さらに、中央演算処理部１２は、送受信部１１との間でデータの受け渡しを行う送受信処理手段（機能）５１、入力部１３あるいは出力部１４とデータの受け渡しを行う入出力処理手段（機能）５２、出来事の分類情報などアルバムを作成するために必要な情報を登録する基本情報登録手段（機能）５３、アルバムの作成を希望する顧客や広告配信を希望する業者などこのシステムの利用者の情報を登録する利用者情報登録手段（機能）５４、顧客から送られてくる日々の出来事情報を入力する出来事登録手段（機能）５５、入力した出来事に基づいて広告の配信を制御する広告配信制御手段（機能）５６、顧客からのアルバムの作成依頼を受け付ける注文受付手段（機能）５７、作成したアルバム情報を出力するアルバム作成手段（機能）５８、および、顧客あるいは業者に対する課金処理を行う課金処理手段（機能）５９を有している。
【００２３】
また、記憶部１６は、出来事の分類識別情報および分類名を関連付けて記憶する分類データベース（ＤＢ）６１、顧客に関する情報が記憶された顧客情報データベース（ＤＢ）６２、業者に関する情報が記憶された業者情報データベース（ＤＢ）６３、顧客から送られてくる出来事情報を保存する出来事データベース（ＤＢ）６４、アルバム作成に必要な画像などのコンテンツを保存するアルバム用コンテンデータベースツ（ＤＢ）６５を備えている。
【００２４】
顧客端末２は、通信ネットワーク４を介してデータの送受信を行うための送受信部２１、送受信部２１からのデータの処理を行う中央演算処理部２２、中央演算処理部２２との間でデータの入出力を行う入力部２３表示部２４およびカメラなどの撮影手段２５から構成されている。業者サーバ３は、通信ネットワーク４を介してデータの送受信を行うための送受信部３１、送受信部３１からのデータの処理を行う中央演算処理部３２、中央演算処理部３２との間でデータの入出力を行う入力部３３と表示部３４および広告配信用のデータを保存する広告データベース（ＤＢ）３５から構成されている。
【００２５】
次に、図２を用いて、顧客端末、アルバム作成システム、業者サーバのデータの流れを説明する。
［基本情報登録段階］
まず、入力部１３から基本情報として、分類情報を登録する（Ｓ１０１）。この分類情報は、中央演算処理部１２の入出力処理手段５２、基本情報登録手段５３によって分類ＤＢ６１に保存される。図３は、分類ＤＢのデータ構成例である。分類ＩＤ（識別情報）と分類名が関連付けられて保存されている。分類名としては、旅行、運動会、ショッピング、住宅購入など日々のイベントを登録する。また、アルバム用の画像データやアルバムの構成情報などアルバム作成に必要なデータをアルバム用コンテンツＤＢ６５に保存する。
【００２６】
また、顧客端末２や業者サーバ３から送られてくる利用者情報は、アルバム作成システム１の送受信部１１で受信され、中央演算処理部１２の送受信処理手段５１、利用者情報登録手段５４を介して、それぞれ顧客情報ＤＢ６２と業者情報ＤＢ６３に保存される（Ｓ１０２〜Ｓ１０４）。
【００２７】
図４は、顧客情報ＤＢ６２のデータ構成例である。顧客ごとに顧客ＩＤが取られ、氏名、住所、電子メールアドレスなどの顧客属性情報の他、業者の広告の配信を許可するか否かの広告配信可否情報などが保存されている。なお、この広告配信可否は、分類ＩＤ別に設定するようにしてもよい。
【００２８】
図５は、業者情報ＤＢ６３のデータ構成例である。業者ごとに業者ＩＤが取られ、業者名、住所などの業者属性情報や分類ＩＤなどの情報が保存されている。この分類ＩＤとしては、図３の分類ＤＢ６１の分類情報の中で、業者に関連のある分類の識別情報が登録される。
【００２９】
［出来事情報入力段階］
顧客は、日々の出来事（イベント）を顧客端末２を通して、システム１に保存する（Ｓ１０５）。図６は、顧客端末上に表示される出来事入力画面の例である。プルダウンメニューとして表示される分類名を選択し、その分類名に基づいて表示される入力画面を通して、出来事情報を入力する。なお、日付や時刻は、送信時の端末の情報を用いてもよいし、この画面上で指定するようにしてもよい。また、カメラ２５で撮影した画像ファイルを指定して添付ファイルとして送信する。
【００３０】
さらに、この画面では、顧客がこの出来事に対してどれくらい満足したかという満足度とどれくらい感動したかという感動度が選択できるようになっている。たとえば、旅行中の出来事を書き込む場合は、分類として、「旅行」を選択して、その出来事にどれくらい満足したか、あるいは、感動したかという度合い（主観的評価）を選択入力する。特にこの主観的評価の入力は、必須ではなく、顧客が会社などの場合は、入力をしなくても動作可能になっている。なお、主観的評価は、上記に限るものではなく、たとえば会社（組織）の新製品発表などのイベントについては、イベントの重要度や社会的反響の度合いなど、分類によって、適切な評価指標が表示されるようにしてもよい。
【００３１】
このように顧客から入力された出来事情報は、アルバム作成システム１の出来事登録手段５５によって、出来事ＤＢ６４に保存される（Ｓ１０６）。
図７は、出来事ＤＢ６４のデータ構成例である。年月日などの時刻情報のほか、分類ＩＤ、出来事内容、画像、満足度・感動度などの主観的評価値が顧客ごとに保存されている。
【００３２】
［広告配信段階］
顧客端末への業者の広告情報の配信処理は広告配信制御手段５６によって実行される。広告配信制御手段５６は、顧客からの出来事情報の登録処理等によって起動され、顧客ＩＤ、分類ＩＤ、感動度データに基づいて（Ｓ１０７）、その顧客に対して広告配信を行うか否かの判定処理を実行する（Ｓ１０８）。そして、その顧客に対する広告配信が許可されている場合は、対象の業者へ広告配信可能通知を送信する（Ｓ１０９）。
【００３３】
業者サーバ３では、広告配信可能通知を受信すると（Ｓ１１０）、広告ＤＢ３５に保存されている広告データを抽出してアルバム作成システム１へ送信する（Ｓ１１１）。
【００３４】
アルバム作成システム１では、一定時間経過後、業者から広告データの送信を受けた場合は、その業者の広告メールを出来事情報を登録した顧客の電子メールアドレスへ配信して（Ｓ１１３、Ｓ１１４）、課金処理実行手段５９を起動して課金処理を行う（Ｓ１１５）。なお、広告データは、都度業者サーバから送信する代わりに、予めシステム１で業者ごとに広告データを保存しておき、広告配信可能な場合は、その広告データを用いて、顧客に広告メールを配信するようにしてもよい。
【００３５】
以下、図８を用いて広告配信制御手段５６の動作を詳述する。
広告配信制御手段５６は、出来事登録手段５５による出来事情報の受信ごと、または周期的に起動される。広告配信制御手段５６は起動されると、まず、出来事ＤＢ６４から顧客ＩＤ（識別情報）、分類ＩＤ、感動度データを読み込む（Ｓ２０１）。そして、感動度が所定値以上か否かを判定して（Ｓ２０２）、所定値以上の場合は、次に顧客情報ＤＢ６２の広告配信可否エリアを参照して、広告配信許可状態になっているか否かを判定する（Ｓ２０３）。
【００３６】
広告配信許可状態になっている場合は、業者情報ＤＢ６３を参照して分類ＩＤが一致しているか否かを判定して、分類ＩＤが一致した業者サーバへ広告配信可能通知を送信する（Ｓ２０６）。このステップＳ２０５、Ｓ２０６の処理を全業者ＩＤについて繰り返す（Ｓ２０４、Ｓ２０７）。そして、一定時間の経過後（Ｓ２０８）、ステップＳ２０６で広告配信可能通知を送った業者から広告データを受信した場合には（Ｓ２０９で「Ｙ」）、当該顧客の電子メールアドレスへその広告メールを配信して（Ｓ２１０）、その業者への課金処理を実行する（Ｓ２１１）。
【００３７】
［課金処理段階］
図２に戻って、課金処理としては、業者情報ＤＢ６３の広告配信を行った業者ＩＤのエリアにアクセスして、広告配信先の顧客ＩＤの広告メール送信回数をカウントアップする。また、全顧客ＩＤのカウント値に基づいて、課金額が計算され、同ＤＢ６３に保存される。
さらに、顧客情報ＤＢ６２の積立額が、業者の広告配信回数に伴ってアップする（Ｓ１１５）。
【００３８】
［アルバム作成提供段階］
顧客からアルバム作成依頼が送られてくると（Ｓ１１６）、アルバム作成システム１では、その依頼を受付（Ｓ１１７）、アルバム作成手段５８を起動してアルバム作成処理を実行する（Ｓ１１８）。このアルバム作成依頼は、個人の出来事情報のほか、会社ＩＤを指定して会社の出来事あるいは世の中の出来事を並べて作成するよう依頼できるようになっている。また、個人の出来事情報のうち所定の感動度以上の出来事のみを抽出して作成するなど、種々の条件を指定して行うようにしてもよい。
【００３９】
以下、図９を用いて、アルバム作成手段５８の動作を詳述する。
アルバム作成手段５８は起動されると、まず、出来事ＤＢ６４中のアルバム作成依頼を行った顧客の出来事情報にアクセスして（Ｓ３０１）、顧客から分類ＩＤの指定がされている場合には、指定された分類ＩＤの出来事のみを対象として（Ｓ３０３）、出来事情報を抽出する（Ｓ３０４）。次に、その出来事情報の感動度が所定値以上か否かを判定して（Ｓ３０５）、所定値以上の場合は、その出来事情報の内容、写真を抽出して、時系列的に配列する（Ｓ３０６）。このステップＳ３０４からＳ３０６までの処理を対象の全出来事情報について繰り返した後（Ｓ３０７）、選別処理を実行する（Ｓ３０８）。この選別処理は、アルバム作成者または顧客に抽出結果を提示して、アルバムに載せる内容の選択を行うものである。
【００４０】
選別処理が終了すると、次に、世の中の情報あるいは会社（組織）情報の中で、選別した出来事情報と所定期間内にある出来事を抽出して、顧客の出来事情報と同一時間軸で配列する（Ｓ３１０、Ｓ３１１）。この処理をステップＳ３０８で選別された全出来事について実行する（Ｓ３０９、Ｓ３１２）。
【００４１】
そして、この世の中の出来事や組織の出来事についても選別処理を行って（Ｓ３１３）、最後にアルバムとしての装飾処理を行って（Ｓ３１４）、アルバムの作成を完了する。
なお、装飾の仕方は、定型化されたアルバムフォーマットに装飾用の画像をはめ込む位置を決めておき、アルバム用コンテンツＤＢ６５に保存されている画像を挿入するようにする。
図１０は、このようにして作成した個人史と社史のアルバムの例である。なおアルバム情報としては、ブック形式のほか、スライドの形式で上映可能にしてもよい。
【００４２】
再び図２に戻り、作成されたアルバム情報は、電子データとして顧客へ送信される（Ｓ１１９、Ｓ１２０）
また、アルバム作成に要する費用としては、アルバム作成費用から顧客情報ＤＢ６２に記憶されているその顧客の積立額を差し引いた料金が顧客に課金される。
【００４３】
本実施の形態では、アルバム作成のための出来事情報の登録と広告の配信を連動させるため、出来事情報に分類識別情報を含ませて登録するようにした。これによって、その出来事に関係のある業者を抽出でき、その出来事の登録のあった時期、すなわち、顧客の関心のあるタイミングで広告を配信することができるので、効果的な広告の配信が可能となる。なお。広告配信を許可した後、所定期間経過後に広告配信禁止状態にして、再び出来事情報の登録を待つようにし、禁止常態のときは広告の配信をしない、もしくは、配信の頻度を制限することによって、関心のない広告を頻繁に受信することによるその広告に対する拒否反応を抑制することができる。
【００４４】
また、広告の配信を行った業者に配信回数に応じて課金をするようにし、その金額の一部または全部を配信を受けた顧客のアルバム作成費用の積立額として加算するようにしたので、顧客のアルバム作成費用の負担を軽減することができる。
【００４５】
さらに、本実施の形態によれば、主観的評価値として、出来事に対する感動度を用い、広告配信制御手段によって感動度が所定値以上のときに広告配信を行うようにしたので、顧客に対して、その広告の良いイメージを与えることができ、広告の効果を高めることができる。
【００４６】
また、アルバム作成手段は、主観的評価値に基づいて出来事を抽出し、時系列的に配列すると共に、当該出来事と所定期間内にある世の中の出来事または組織内の出来事を顧客の出来事の時系列上に配列するようにしたので、主観的評価値によって自動的に印象の深い個人の出来事を抽出して世の中の出来事等とリンクさせてアルバムを作成する。
【００４７】
本発明は、上述した実施形態に限定されることなく、その趣旨を逸脱しない範囲で種々変形して実施することができる。たとえば、主観的評価値として出来事に対する不満度を用いて、広告配信制御手段は、この不満度が所定値以上のときに、当該出来事のみをその出来事の分類識別情報をもとに抽出された業者へ送信するようにしてもよい。このとき、顧客層のみが分かるようにして、顧客は特定できないようにするのが望ましい。これによって、業者は、自己の事業に関連のある出来事について、顧客層が何に不満を持っているかを知ることができ、商品やサービスの改善につなげることができる。
【図面の簡単な説明】
【００４８】
【図１】本発明の実施の形態によるアルバム作成システムの機能ブロック図である。
【図２】本発明の実施の形態によるアルバム作成システム、顧客端末、業者サーバ間のデータの流れの説明図である。
【図３】図１の分類ＤＢのデータ構成例である。
【図４】図１の顧客情報ＤＢのデータ構成例である。
【図５】図１の業者情報ＤＢのデータ構成例である。
【図６】図１の顧客端末上に表示される出来事登録時の画面の説明図である。
【図７】図１の出来事ＤＢのデータ構成例である。
【図８】図１の広告配信制御手段の処理手順を示すフローチャートである。
【図９】図１のアルバム作成手段の処理手順を示すフローチャートである。
【図１０】図１のアルバム作成手段で作成されるアルバム情報の例である。
【符号の説明】
【００４９】
１  アルバム作成システム
２  顧客端末
３  業者サーバ
４  通信ネットワーク
１１、２１、３１  送受信部
１２、２２、３２  中央演算処理部
１３、２３、３３  入力部
１４  出力部
１５  記憶部
２４、３４  表示部
２５  カメラ
３５  広告データベース（ＤＢ）
５１  送受信処理手段
５２  入出力処理手段
５３  基本情報登録手段
５４  利用者情報登録手段
５５  出来事登録手段
５６  広告配信制御手段
５７  注文受付手段
５８  アルバム作成手段
５９  課金処理手段
６１  分類データベース（ＤＢ）
６２  顧客情報データベース（ＤＢ）
６３  業者情報データベース（ＤＢ）
６４  出来事データベース（ＤＢ）
６５  アルバム用コンテンツデータベース（ＤＢ）
【図１】
2006190117.tif 000003
【図２】
2006190117.tif 000004
【図３】
2006190117.tif 000005
【図４】
2006190117.tif 000006
【図５】
2006190117.tif 000007
【図６】
2006190117.tif 000008
【図７】
2006190117.tif 000009
【図８】
2006190117.tif 000010
【図９】
2006190117.tif 000011
【図１０】
2006190117.tif 000012